(57)【要約】【課題】販売促進の効果を向上させることができる。【解決手段】本発明の一態様は、コードに埋め込まれた情報が読取装置によって読み取られることで行われるコード決済に関する情報を受信する通信部５１０と、前記コード決済を利用したユーザに対して、前記コード決済において利用可能な特典を付与する特典付与部５７２と、前記特典に関する情報を、前記特典が付与されたユーザの端末装置に送信する通知部５７３と、を備える情報処理装置である。【選択図】図３
2019113924.tif 000002
【特許請求の範囲】
【請求項１】
コードに埋め込まれた情報が読取装置によって読み取られることで行われるコード決済に関する情報を受信する通信部と、
前記コード決済を利用したユーザに対して、前記コード決済において利用可能な特典を付与する特典付与部と、
前記特典に関する情報を、前記特典が付与されたユーザの端末装置に送信する通知部と、
を備える情報処理装置。
【請求項２】
前記コード決済に関する情報は、商品またはサービスの販売施設において提示される前記コードが前記読取装置である前記ユーザの端末装置によって読み取られることで取得される前記商品またはサービスの情報と、前記端末装置のユーザの識別情報とを含む情報である、
請求項１に記載の情報処理装置。
【請求項３】
前記コード決済に関する情報は、前記ユーザの端末装置により表示された前記コードが販売施設に設置された前記読取装置である決済端末によって読み取られることで取得される前記端末装置のユーザの識別情報と、前記ユーザが購入する商品またはサービスの情報とを含む情報である、
請求項１または２に記載の情報処理装置。
【請求項４】
前記特典付与部は、抽選を行い、当選した場合に前記特典を付与する、
請求項１から３のうちいずれか一項に記載の情報処理装置。
【請求項５】
前記特典付与部は、
前記コード決済により累積で所定数以上の商品またはサービスを購入したユーザに対して前記特典を付与する、
請求項１から４のうちいずれか一項に記載の情報処理装置。
【請求項６】
前記特典付与部は、
前記コード決済により商品またはサービスを購入したユーザに対して、所定金額の電子的な割引券を特典として付与する、
請求項１から５のうちいずれか一項に記載の情報処理装置。
【請求項７】
前記特典付与部は、
前記コード決済により商品またはサービスを購入したユーザに対して、決済金額に応じた特典を付与する、
請求項１から６のうちいずれか一項に記載の情報処理装置。
【請求項８】
前記特典が付与されたユーザの端末装置に対して、前記特典を利用可能な販売施設に関する情報を提供する提供部をさらに備える、
請求項１から７のうちいずれか一項に記載の情報処理装置。
【請求項９】
コンピュータが、
コードに埋め込まれた情報が読取装置によって読み取られることで行われるコード決済に関する情報を受信し、
前記コード決済を利用したユーザに対して、前記コード決済において利用可能な特典を付与し、
前記特典に関する情報を、前記特典が付与されたユーザの端末装置に送信する、
情報処理方法。
【請求項１０】
コンピュータに、
コードに埋め込まれた情報が読取装置によって読み取られることで行われるコード決済に関する情報を受信させ、
前記コード決済を利用したユーザに対して、前記コード決済において利用可能な特典を付与させ、
前記特典に関する情報を、前記特典が付与されたユーザの端末装置に送信させる、
プログラム。
【請求項１１】
撮像部と入力部と通信部と表示部とを備える端末装置に、
コードに埋め込まれた情報が読取装置によって読み取られることで行われるコード決済を行う場合、前記撮像部を用いて前記コードに埋め込まれた情報を読み取らせ、
前記コードに埋め込まれた情報を、前記通信部を用いて情報処理装置に送信させ、
前記コード決済を利用したことにより付与された特典に関する情報を、前記通信部を用いて前記情報処理装置から受信させ、
前記入力部において前記特典を利用することを指示する情報を受け付けた場合、前記特典を利用することを、前記通信部を用いて前記情報処理装置に送信させ、
前記コード決済において前記特典が利用されることを示す情報を、前記通信部を用いて前記情報処理装置から受信させ、前記表示部に表示させる、
プログラム。
【請求項１２】
前記入力部において前記特典を利用することを指示する情報を受け付けた場合、前記特典を利用して前記コード決済をするための情報を埋め込んだコードを前記表示部に表示させる、
請求項１１に記載のプログラム。
【請求項１３】
表示部と入力部と通信部とを備える端末装置に、
コードに埋め込まれた情報が読取装置によって読み取られることで行われるコード決済を行う場合、前記コードを前記表示部に表示させ、
前記コード決済を利用したことにより付与された特典に関する情報を、前記通信部を用いて情報処理装置から受信させ、
前記特典を利用することを指示する情報を受け付けた場合、前記特典を利用して前記コード決済をするための情報を埋め込んだコードを前記表示部に表示させる、
プログラム。
【請求項１４】
前記入力部において前記特典を利用することを指示する情報を受け付けた場合、前記特典を利用することを、前記通信部を用いて前記情報処理装置に送信させ、
前記コード決済において前記特典が利用されることを示す情報を、前記通信部を用いて前記情報処理装置から受信させ、前記表示部に表示させる、
請求項１３に記載のプログラム。
【発明の詳細な説明】
【技術分野】
【０００１】
本発明は、情報処理装置、情報処理方法、およびプログラムに関する。
【背景技術】
【０００２】
従来より、商品を購入してくれたユーザに対して特典を付与し、販売促進を図る手法が知られている。これに関連して、自動販売機において販売されている商品をＩＣカードを用いて電子マネーで購入した場合、購入により付与された返金ポイントをＩＣカードの識別情報に関連付けて自動販売機において管理し、同じＩＣカードで再度商品を購入したユーザに対して返金ポイントに相当する金額を商品価格から差し引いた金額を決済センターコンピュータに通知し、電子マネーから減算するシステムが知られている（例えば特許文献１参照）。
【先行技術文献】
【特許文献】
【０００３】
【特許文献１】特開２００６−１１７４５号公報
【発明の概要】
【発明が解決しようとする課題】
【０００４】
しかしながら、従来のシステムでは、返金ポイントを管理していない自動販売機では返金ポイントを利用できず、返金ポイントの利用場所が限られていた。このため、販売促進の効果が十分ではなかった。
【０００５】
本発明は、このような事情を考慮してなされたものであり、販売促進の効果を向上させることができる情報処理装置、情報処理方法、およびプログラムを提供することを目的の一つとする。
【課題を解決するための手段】
【０００６】
本発明の一態様は、コードに埋め込まれた情報が読取装置によって読み取られることで行われるコード決済に関する情報を受信する通信部と、前記コード決済を利用したユーザに対して、前記コード決済において利用可能な特典を付与する特典付与部と、前記特典に関する情報を、前記特典が付与されたユーザの端末装置に送信する通知部と、を備える情報処理装置である。
【発明の効果】
【０００７】
本発明の一態様によれば、販売促進の効果を向上させることができる。
【図面の簡単な説明】
【０００８】
【図１】第１実施形態に係る情報処理装置を含む決済システム１の構成図である。
【図２】第１実施形態に係る端末装置１００の機能構成を示す図である。
【図３】情報処理装置５００の機能構成を示す図である。
【図４】残高情報５５１の内容の一例を示す図である。
【図５】商品等情報５５２の内容の一例を示す図である。
【図６】特典情報５５３の内容の一例を示す図である。
【図７】購入履歴情報５５４の内容の一例を示す図である。
【図８】第１決済方法を利用して商品等を購入するときの処理を示すシーケンス図である。
【図９】第１決済方法を利用して特典の提供を受けるときの処理を示すシーケンス図である。
【図１０】図８〜９に示す処理における端末装置１００の画面遷移の一例を示す図である。
【図１１】端末装置１００において実行される処理の一例を示すフローチャートである。
【図１２】端末装置１００において実行される処理（特典の提供を受けるときの処理）の一例を示すフローチャートである。
【図１３】端末装置１００において実行される処理の一例を示すフローチャートである。
【図１４】第２実施形態に係る情報処理装置を含む決済システム１Ａの構成図である。
【図１５】ＰＯＳ端末７００の機能構成を示す図である。
【図１６】第２決済方法を利用して商品等を購入するときの処理を示すシーケンス図である。
【図１７】第２決済方法を利用して特典の提供を受けるときの処理を示すシーケンス図である。
【図１８】図１６〜１７に示す処理における端末装置１００の画面遷移の一例を示す図である。
【図１９】端末装置１００において実行される処理の一例を示すフローチャートである。
【図２０】端末装置１００において実行される処理（特典の提供を受けるときの処理）の一例を示すフローチャートである。
【発明を実施するための形態】
【０００９】
以下、図面を参照し、本発明の情報処理装置、情報処理方法、およびプログラムの実施形態について説明する。
【００１０】
＜第１実施形態＞
図１は、第１実施形態に係る情報処理装置を含む決済システム１の構成図である。決済システム１は、コード決済を行うシステムである。コード決済とは、コードに埋め込まれた情報が読取装置によって読み取られることで行われる決済や精算の態様である。なお、決済の態様には、電子マネーの授受により決済がその場で完了する場面や、クレジットカードを用いて決済処理が完了してから引き落としによる支払いは月末や来月になる場面等が含まれる。精算の態様には、他者に借りていたお金を送金する場面や、他者に貸していたお金を受け取る場面等が含まれる。コードには、例えば、一次元コード、二次元コード等、機械によって内容が認識可能であり、かつ人によって内容が認識できない任意の表示物が含まれる。コードに埋め込まれる情報は、決済方法に応じて異なる。
【００１１】
決済システム１は、例えば、一以上の端末装置１００と、一以上の自動販売機３００と、一以上の情報処理装置５００とを備える。これらの構成は、ネットワークＮＷによって互いに接続されており、このネットワークＮＷを介して互いに通信する。ネットワークＮＷは、例えば、ＷＡＮ（Wide Area Network）やＬＡＮ（Local Area Network）、インターネット、専用回線、無線基地局、プロバイダなどのうちの一部または全部を含む。
【００１２】
第１実施形態では、端末装置１００をコードの読取装置として用いる決済方法が採用されたものとして説明する。この決済方法を、以下、第１決済方法と記す。第１決済方法では、商品またはサービス（以下、商品等）を販売する販売施設において、例えば商品等の横にコードが提示されている。以下の例に置いて、販売施設は自動販売機３００である。なお、販売施設は、例えば有人の店舗に設置された販売機であってもよく、ユーザ自身が会計を行う店舗（例えば、セルフレジが設置されている店舗）等であってもよく、店員がＰＯＳ端末を用いて会計を行う店舗であってもよい。サービスには、例えば、マッサージチェアの利用や、カラオケボックスの利用等が含まれる。
【００１３】
決済の流れの一例について説明する。ユーザは、端末装置１００を用いて、自動販売機３００の例えば商品等の横に提示されているコードを読み取る。端末装置１００は、読み取った情報をユーザの識別情報と共に情報処理装置５００に送信する。情報処理装置５００は、例えば受信した情報と、ユーザの決済能力（電子マネーの残高や与信額等）に基づいて決済が可能か否かを判定し、決済が可能であると判定した場合、決済処理を実行するとともに、自動販売機３００に対して商品等の排出を指示する。これにより、ユーザは、現金やカード（クレジットカードやＩＣカード等）を取り出すことなく、端末装置１００でコードを読み取るだけで商品等を購入することができる。
【００１４】
［端末装置］
端末装置１００は、例えば、スマートフォンなどの携帯電話やタブレット端末、ＰＤＡ（Personal Digital Assistant）などの、少なくとも通信機能と表示機能を有する可搬型端末装置である。図２は、第１実施形態に係る端末装置１００の機能構成を示す図である。端末装置１００は、例えば、通信部１１０と、入力部１２０と、表示部１３０と、撮像部１４０と、記憶部１５０と、アプリ実行部１７０とを備える。
【００１５】
通信部１１０は、セルラー網やＷｉ−Ｆｉ網等を用いて、ネットワークＮＷに接続するためのハードウェアを有する。例えば、通信部１１０は、アンテナおよび送受信装置などを有する。入力部１２０は、例えば、表示部１３０と一体として形成されるタッチパネルＴＰ、各種キー、ボタン、ダイヤルスイッチ、マウスなどのうち一部または全部を含む。表示部５４は、例えば、ＬＣＤ（Liquid Crystal Display）や有機ＥＬ（Electroluminescence）表示装置などである。撮像部１４０は、対象物の静止画（写真）または動画を撮像する。撮像部１４０は、撮像した静止画または動画（以下、撮像画像と記す）の画像データを記憶部１５０に記憶させる。
【００１６】
記憶部１５０は、例えば、ＲＡＭ（Random Access Memory）、ＲＯＭ（Read Only Memory）、フラッシュメモリ、ＳＤカード、レジスタなどによって実現される。記憶部１５０には、決済アプリ１５１が格納されている。決済アプリ１５１は、コード決済を行うためのインターフェースを表示部１３０に表示させ、インターフェースを介して入力された情報に基づく処理を端末装置１００に実行させるプログラムである。
【００１７】
アプリ実行部１７０は、例えば、ＣＰＵ（Central Processing Unit）などのプロセッサが、記憶部１５０に記憶された決済アプリ（プログラム）１５１を実行することにより実現される。決済アプリ１５１は、例えば、ネットワークＮＷを介して他装置からダウンロードされてもよいし、予め端末装置１００にプリインストールされていてもよい。
【００１８】
［情報処理装置］
次に、図３を参照して、情報処理装置５００について説明する。図３は、情報処理装置５００の機能構成を示す図である。情報処理装置５００は、通信部５１０と、記憶部５５０と、制御部５７０とを備える。通信部５１０は、例えば、ＮＩＣなどの通信インターフェースを含む。記憶部５５０は、例えば、ＲＡＭやＲＯＭ、ＳＳＤなどのフラッシュメモリ、ＨＤＤなどである。記憶部５５０には、例えば、残高情報５５１、商品等情報５５２、特典情報５５３、購入履歴情報５５４などの情報が格納される。記憶部５５０は、情報処理装置５００がネットワークを介してアクセス可能なＮＡＳ（Network Attached Storage）などの外部記憶装置であってもよい。
【００１９】
残高情報５５１は、ＷＥＢ上に仮想的に作られた財布（以下、ＷＥＢ財布と記す）の中に残っているユーザの残高を示す情報である。ＷＥＢ財布では、例えば、チャージされた電子マネーの残高と、指定された金融機関の口座の残高とが管理されている。電子マネーは、例えば、自動的にあるいはユーザの操作に応じて口座からチャージされる。図４は、残高情報５５１の内容の一例を示す図である。残高情報５５１は、例えば、ユーザＩＤに、電子マネー残高と、口座残高と、口座情報とを対応付けた情報である。ユーザＩＤは、各ユーザを識別する識別情報である。電子マネー残高は、ＷＥＢ財布に残っている電子マネーの金額である。口座残高は、ＷＥＢ財布に指定されている口座の残高である。口座情報は、ＷＥＢ財布に指定されている口座に関する情報（金融機関名、口座番号等）である。なお、残高情報５５１は、ＷＥＢ財布に登録されているクレジットカードに関する情報が含まれていてもよい。
【００２０】
商品等情報５５２は、コード決済の対象に含まれる商品等に関する情報である。図５は、商品等情報５５２の内容の一例を示す図である。商品等情報５５２は、例えば、商品等ＩＤに、商品等価格と、特典内容と、利用可能店舗等と、通知タイミングとを対応付けた情報である。商品等ＩＤは、各商品等を識別する識別情報である。商品等価格は、商品等の価格である。特典内容は、購入者に付与される特典の種類や、特典を付与する条件（以下、付与条件と記す）等が含まれる。利用可能店舗等は、割引券を利用可能な店舗等を示す情報である。店舗等には、有人の店舗、無人の店舗、販売機等が含まれる。通知タイミングは、付与された特典に関する情報をユーザに通知するタイミングであり、例えば、設定時刻、商品等を購入してから所定時間後等である。
【００２１】
特典の種類には、例えば、抽選、まとめ買い、その他キャンペーン等が含まれる。付与条件は、特典の種類や商品等ごとに決められる。例えば、抽選特典においては、くじやルーレット等により当たりが出たユーザに対して何らかの特典が付与されることが決められている。また、まとめ買い特典においては、対象商品等を指定された個数以上購入したユーザに対して何らかの特典が付与されることが決められている。なお、まとめ買い特典で対象商品等を購入する期間は短期間（数時間や一日）であってもよく、長期間（数日、数か月）に及んでもよい。また、その他キャンペーン特典は、コード決済において支払った金額に応じた割引券の提供、コード決済におけるユーザの格付けのランクアップ等が含まれている。
【００２２】
特典情報５５３は、ユーザに付与された特典に関する情報である。図６は、特典情報５５３の内容の一例を示す図である。特典情報５５３は、ユーザＩＤに、割引券と、割引対象と、利用可能店舗等と、利用タイミングと、利用期限と、有効性とを対応付けた情報である。割引券は、コード決済において商品等を購入する際に適用可能な割引額を示す情報である。割引対象は、割引券を用いて購入できる商品等を示す情報である。利用期限は、特典の有効期限を示す情報である。有効性は、特典が有効であるか否かを示す情報である。特典がまだ利用されていない場合、有効性の欄には「利用前」が、特典が利用された場合、有効性の欄には「利用済」が、それぞれ記憶される。
【００２３】
購入履歴情報５５４は、コード決済における各ユーザの過去の購入履歴に関する情報である。図７は、購入履歴情報５５４の内容の一例を示す図である。購入履歴情報５５４は、ユーザＩＤに、購入日時と、品目と、購入金額と、購入場所とを対応付けた情報である。
【００２４】
制御部５７０は、決済処理部５７１と、特典付与部５７２と、通知部５７３と、提供部５７４とを備える。これらの構成要素のうち一部または全部は、例えば、ＣＰＵなどのプロセッサが、記憶部５５０に記憶されたプログラム（ソフトウェア）を実行することで実現される。また、これらの構成要素の機能のうち一部または全部は、ＬＳＩ、ＡＳＩＣ、ＦＰＧＡ等のハードウェア（回路部：circuitryを含む）によって実現されていてもよいし、ソフトウェアとハードウェアの協働によって実現されていてもよい。
【００２５】
決済処理部５７１は、通信部５１０を用いて受信したコード決済に関する情報（以下、コード決済情報と記す）に基づいて、決済処理を実行する。コード決済情報には、決済方法に応じた情報が含まれる。本実施形態に係る第１決済方法におけるコード決済情報（以下、第１コード決済情報と記す）は、端末装置１００から送信される情報であって、商品等情報と、端末装置１００のユーザのユーザＩＤとを含む。第１コード決済情報に含まれる商品等情報は、商品等の販売施設において提示されるコードが、端末装置１００によって読み取られることで取得される情報である。第１コード決済情報に含まれる商品等情報には、商品等ＩＤと、商品等価格と、販売機ＩＤとが含まれる。
【００２６】
特典付与部５７２は、コード決済を利用したユーザに対して、コード決済において利用可能な特典を付与する。特典付与部５７２は、付与した特典を特典情報５５３の一部として記憶部５５０に記憶させる。コード決済を利用したユーザには、コード決済を利用して商品等を購入したユーザと、コード決済を利用して送金したユーザ（送金された側のユーザを含む）等とが含まれる。特典を付与するための条件は、特典内容、購入した商品等、決済金額、送金金額等に応じて任意に設定可能である。
【００２７】
例えば、特典付与部５７２は、商品等情報５５２を参照してコード決済の対象商品等についての特典内容を取得し、特典内容に含まれる付与条件に合致した場合に、特典を付与する。具体的に説明すると、特典付与部５７２は、コード決済の対象商品等に抽選特典が設定されている場合、ユーザの端末装置１００に対して抽選コンテンツの表示を指示し、ユーザからの指示に基づいて抽選し、当選したユーザに対して特典を付与する。
【００２８】
また、コード決済の対象商品等にまとめ買い特典が設定されている場合、特典付与部５７２は、購入履歴情報５５４を参照して付与条件を満たしているか判定し、付与条件を満たしているユーザに対して特典を付与する。このまとめ買い特典の付与条件は、例えば、データ決済により累積で所定数以上の商品等を購入したこと等である。
【００２９】
また、特典付与部５７２は、コード決済により商品等を購入したユーザに対して、所定金額の電子的な割引券（単に割引券とも記す）を特典として付与してもよい。この割引券の金額は、決済金額に応じた金額であってもよく、購入した商品等に応じた金額であってもよい。
【００３０】
また、特典付与部５７２は、割引券の額に限られず、決済金額に応じた様々な特典を付与してもよい。例えば、特典付与部５７２は、複数の特典を用意して、用意した特典にランク付けをしておき、決済金額に応じたランクの特典を付与してもよい。また、特典が同じ商品やサービスであっても、決済金額が高くなるほど提供される個数等が多くなるようにしてもよい。また、決済金額が高くなるほど複数の特典の中からユーザが選べる自由度を高くしてもよく、決済金額が高くなるほど決済金額に乗算される割引率を高くしてもよい。なお、この決済金額は、一回の決済での金額であってもよく、所定期間での決済金額の合計値であってもよい。例えば、所定期間での商品あるいはサービスごとの決済金額の合計値であってもよく、所定期間のメーカーごとの決済金額の合計値であってもよい。
【００３１】
通知部５７３は、特典に関する情報を、特典が付与されたユーザの端末装置１００に送信する。特典に関する情報には、例えば、付与された（またはこれから付与される可能性のある）特典の内容、利用期限、利用店舗、対象商品等が含まれる。また、特典に関する情報には、コード決済に特典が反映されていることを示す情報（例えば、支払い額が、商品等価格から割引額を減算した金額であることを示す情報）等が含まれる。
【００３２】
提供部５７４は、特典付与部５７２により特典が付与されたユーザの端末装置１００に対して、特典を利用可能な店舗等に関する情報を、通信部５１０を用いて提供する。例えば、提供部５７４は、特典情報５５３を参照し、ユーザが保持している特典とその利用可能店舗等に関する情報を読み出し、ユーザの端末装置１００に送信する。利用可能店舗等に関する情報には、店舗名と、店舗の位置情報と、営業時間（開店時刻と閉店時刻等）等が含まれている。端末装置１００において、アプリ実行部１７０は、受信した利用可能店舗等に関する情報に基づいて、ユーザの現在位置と店舗の位置とを地図データ上に表示する画面を生成し、表示部１３０に表示させてもよい。また、アプリ実行部１７０は、ユーザの現在位置から所定距離の範囲内に特典を利用可能店舗が存在する場合、表示部１３０やスピーカー等を用いてその旨をユーザに通知してもよい。こうすることにより、ユーザは、特典を利用可能な販売施設が近くにあることを認識することができ、特典を利用しやすくなる。
【００３３】
また、提供部５７４は、特典情報５５３を参照して、利用タイミングにおいて規定されているタイミングで、これらの情報を端末装置１００に送信してもよい。例えば、特典が付与されることとなった特典を利用していない商品等の購入のときから所定時間（例えば、３時間）が経過した場合、提供部５７４は、特典の利用指示を受け付ける画面を端末装置１００の表示部１３０に表示させるように指示してもよい。また、この利用タイミングは、商品に応じて設定されてもよい。例えば、飲料の場合は前回の購入から短期間（数時間）後であり、お弁当の場合はお昼時等である。また、利用タイミングは、天候や季節に応じて設定されてもよい。例えば、飲料に関する特典の利用指示を前回の購入から所定期間後とする場合、所定期間を夏は短く、冬は長くしてもよい。
【００３４】
［シーケンス図］
次に、図８〜１０を参照して、決済システム１において実行される処理について説明する。図８は、第１決済方法を利用して商品等を購入するときの処理を示すシーケンス図である。図９は、第１決済方法を利用して特典の提供を受けるときの処理を示すシーケンス図である。図１０は、図８〜９に示す処理における端末装置１００の画面遷移の一例を示す図である。
【００３５】
まず、ユーザは端末装置１００を操作して決済アプリを起動し、端末装置１００の表示部１３０にコード読み取り画面２０１を表示させる。そしてユーザは、撮像部１４０によってコードを撮像しながら、コード読み取り画面２０１に表示されている枠内に、例えば自動販売機３００の商品Ａの横に提示されているコードを位置合わせする。コード読み取り画面２０１の枠内には、撮像部１４０の撮像画像が表示される。これにより、端末装置１００は、コードを読み取る（Ｓ１）。端末装置１００は、読み取ったコードをデコードしてデコード情報を取得し、デコード情報を表示した画面２０２を表示部１３０に表示させる（Ｓ２）。デコード情報には、商品等ＩＤと、価格と、販売機ＩＤとが含まれている。画面２０２は、デコード情報に含まれる商品等の画像（商品Ａ）および価格（１３０円）と、購入キー２０２ａとを表示する。購入キー２０２ａは、購入指示を受け付ける操作ボタンである。
【００３６】
ユーザにより購入キー２０２ａが操作された場合（Ｓ３）、端末装置１００は、デコード情報（商品等ＩＤと、価格と、販売機ＩＤ）と、ユーザＩＤとを対応付けた情報を情報処理装置５００に送信する（Ｓ４）。情報処理装置５００は、残高情報５５１を参照して、受信した情報に基づいて決済が可能か否かを判定する。決済が可能である場合（例えば、残高が商品等価格以上である場合）、情報処理装置５００は、決済処理を実行し（Ｓ５）、通信部５１０を用いて商品排出指示を、販売機ＩＤが示す自動販売機３００に送信する（Ｓ６）。商品排出指示を受けた自動販売機３００は、商品Ａを排出する（Ｓ７）。
【００３７】
次いで、情報処理装置５００は、商品等情報５５２を参照し、Ｓ５において決済処理した商品Ａの商品等ＩＤに対応する特典内容の欄に含まれる情報を確認する（Ｓ２１）。例えば、商品等情報５５２において、商品Ａの商品等ＩＤに対応する特典内容の欄には「抽選特典、当選したら商品Ａ〜Ｃのうちいずれかをプレゼントする」ことが定義されている場合について説明する。この場合、情報処理装置５００は、抽選特典を提供するためのコンテンツ（抽選コンテンツ）の再生を端末装置１００に指示する（Ｓ２２）。抽選コンテンツは、例えば、抽選機を回転させる動画である。抽選コンテンツは、決済アプリにより情報処理装置５００から自動的にダウンロードされ、記憶部１５０に記憶されている。端末装置１００は、記憶部１５０から抽選コンテンツを読み出し、例えば抽選機を回転させる動画を表示させる画面２０３を表示部１３０に表示させる（Ｓ２３）。画面２０３は、くじを引くボタン２０３ａも含む。
【００３８】
ユーザによりくじを引くボタン２０３ａが操作された場合（Ｓ２４）、端末装置１００は、くじが引かれたことを示す情報を情報処理装置５００に送信する（Ｓ２５）。情報処理装置５００は、くじが引かれたことを示す情報を受信したタイミングに基づいて抽選結果を決定し（Ｓ２６）、決定した抽選結果を端末装置１００に送信する（Ｓ２７）。抽選結果は、ユーザが獲得したばかりの特典に関する情報の一例である。なお、情報処理装置５００は、くじが引かれたことを示す情報を受信したタイミングで、抽選機が止まった後のコンテンツを記憶部５５０から読み出し、端末装置１００に送信してもよい。
【００３９】
端末装置１００は、受信した抽選結果を表示部１３０に表示させる（Ｓ２８）。例えば、抽選結果が当選である場合、端末装置１００は、特典内容を示す情報（商品Ａ〜Ｃのうちいずれか一つの画像）と、利用ボタン２０４ａとを表示する画面２０４を表示部１３０に表示させる。利用ボタン２０４ａは、当選により付与された特典の利用を受け付ける操作ボタンであり、例えば、当たりもう一本飲むと表示されている。この利用ボタン２０４ａを操作することにより、ユーザは、当選により付与された特典を今すぐ利用することができる。ここで、ユーザにより利用ボタン２０４ａが操作された場合、次に説明する特典の提供を受けるときの処理に移行する。
【００４０】
続いて、図９の処理について説明する。なお、以下に説明する処理は、ユーザが端末装置１００を操作することにより、ユーザが利用可能な特典（過去に獲得した特典であって、まだ利用されておらず、且つ、効力が有効であるもの）のうちの一つが選択されて、選択された特典の利用が指示された場合に実行されてもよい。
【００４１】
ユーザにより利用ボタン２０４ａが操作された場合、端末装置１００は、特典の利用指示を受け付け（Ｓ３１）、表示部１３０にコード読み取り画面２０５を表示させる。そしてユーザは、コード読み取り画面２０５に表示されている枠内に、例えば自動販売機３００の商品Ｂの横に提示されているコードを位置合わせする。これにより、端末装置１００は、コードを読み取る（Ｓ３２）。端末装置１００は、読み取ったコードをデコードしてデコード情報（商品等ＩＤと、価格と、販売機ＩＤを含む）を取得し、デコード情報に含まれる価格に特典を適用した価格（以下、特典適用価格と記す）を生成し、画面２０６を表示部１３０に表示させる（Ｓ３３）。なお、Ｓ３４において特典適用価格を生成する際、端末装置１００は、情報処理装置５００に対してユーザＩＤを送信し、ユーザが獲得している特典に関する情報の送信を要求し、情報処理装置５００から受信した特典に関する情報に基づいて特典適用価格を生成してもよい。画面２０６には、デコード情報に含まれる商品等の画像（商品Ｂ）と、特典適用価格（０円）と、購入キー２０６ａとが表示されている。
【００４２】
ユーザにより購入キー２０６ａが操作された場合（Ｓ３４）、端末装置１００は、デコード情報の一部（商品等ＩＤと、販売機ＩＤ）と、特典適用価格と、ユーザＩＤとを対応付けた情報を情報処理装置５００に送信する（Ｓ３５）。情報処理装置５００は、特典適用価格が０円であるか否かを判定し（Ｓ３６）、０円である場合、通信部５１０を用いて商品排出指示を販売機ＩＤが示す自動販売機３００に送信する（Ｓ３７）。商品排出指示を受けた自動販売機３００は、商品Ｂを排出する（Ｓ３８）。なお、特典適用価格が０円でない場合、情報処理装置５００は、残高情報５５１を参照して、受信した情報に基づいて決済が可能か否かを判定し、決済が可能である場合（残高が商品等価格以上である場合）、決済処理を実行してもよい。情報処理装置５００は、特典が利用されたことを示す情報を端末装置１００に送信する（Ｓ３９）。端末装置１００は、情報処理装置５００から受信した情報に基づいて、特典が利用されたことを示す画面２０７を表示部１３０に表示させる（Ｓ４０）。画面２０７は、ホーム画面に戻る操作を受け付けるホームキー２０７ａを表示してもよい。
【００４３】
［端末装置フローチャート］
次に、図１１を参照して、端末装置１００において実行される処理（商品等を購入するときの処理）について説明する。図１１は、端末装置１００において実行される処理の一例を示すフローチャートである。
【００４４】
まず、端末装置１００が、入力部１２０を用いてユーザからアプリ起動指示が入力されたか否かを判定する（Ｓ１０１）。アプリ起動指示が入力された場合、端末装置１００は、アプリ実行部１７０を起動し（Ｓ１０３）、ログイン画面を表示部１３０に表示させる（Ｓ１０５）。ユーザは、入力部１２０を用いてログインに必要な情報（例えば、ＩＤとパスワード）を入力する。アプリ実行部１７０は、入力されたＩＤとパスワードを情報処理装置５００に送信する（Ｓ１０７）。情報処理装置５００によりログインが認証されない場合、Ｓ１０５に戻る。
【００４５】
情報処理装置５００によりログインが認証された場合（Ｓ１０９）、アプリ実行部１７０は、コード読み取り画面（例えば、画面２０１）を表示部１３０に表示させる（Ｓ１１１）。アプリ実行部１７０は、撮像部１４０が撮像した情報をデコードし、デコード情報を取得したか否かを判定する（Ｓ１１３）。デコード情報を取得しない場合、Ｓ１１１に戻る。デコード情報を取得した場合、アプリ実行部１７０は、デコード情報を表示した画面（例えば、画面２０２）を表示部１３０に表示させる（Ｓ１１５）。次いで、アプリ実行部１７０は、入力部１２０において購入指示が入力されたか否かを判定する（Ｓ１１７）。購入指示が入力された場合、アプリ実行部１７０は、デコード情報（商品等ＩＤと、価格と、販売機ＩＤ）と、ユーザＩＤとを対応付けた情報を情報処理装置５００に送信する（Ｓ１１９）。一方、購入指示が入力されない場合、アプリ実行部１７０は、処理を終了する。
【００４６】
次に、図１２を参照して、端末装置１００において実行される処理（特典の提供を受けるときの処理）について説明する。図１２は、端末装置１００において実行される処理（特典の提供を受けるときの処理）の一例を示すフローチャートである。アプリ実行部１７０は、既に起動されており、ログインも認証されているものとする。
【００４７】
アプリ実行部１７０は、ユーザが利用可能な特典一覧の表示指示が入力部１２０に入力されたか否かを判定する（Ｓ１３１）。特典一覧の表示指示が入力された場合、アプリ実行部１７０は、特典一覧の送信を情報処理装置５００に要求する（Ｓ１３３）。そして、アプリ実行部１７０は、情報処理装置５００から受信した情報に基づいて、特典一覧を表示部１３０に表示させる。特典一覧には、ユーザが利用可能な特典の内容、利用期限、利用可能店舗等などが含まれる。なお、アプリ実行部１７０は、Ｓ１３１〜１３５の処理に代えて、特典内容を示す情報を表示する画面（例えば、画面２０４）を表示部１３０に表示させてもよい。
【００４８】
次いで、アプリ実行部１７０は、特典の利用指示が入力部１２０に入力されたか否かを判定する（Ｓ１３７）。例えば、特典一覧に含まれる特典のうちの一つが選択され、利用指示が入力された場合、アプリ実行部１７０は、コード読み取り画面（例えば、画面２０５）を表示部１３０に表示させる（Ｓ１３９）。アプリ実行部１７０は、撮像部１４０が撮像した情報をデコードし、デコード情報を取得する（Ｓ１４１）。そして、アプリ実行部１７０は、Ｓ１３７において利用指示があった特典に関する情報と、デコード情報とに基づいて、特典適用価格を生成し、デコード情報と、特典適用価格とを表示する画面（例えば、画面２０６）を表示部１３０に表示させる（Ｓ１４３）。
【００４９】
次いで、アプリ実行部１７０は、入力部１２０において購入指示が入力されたか否かを判定する（Ｓ１４５）。購入指示が入力された場合、アプリ実行部１７０は、Ｓ１４１において取得したデコード情報（商品等ＩＤと、価格と、販売機ＩＤを含む）と、Ｓ１４３において生成した特典適用価格と、提供した特典を示す情報（以下、提供済情報と記す）と、ユーザＩＤとを対応付けた情報を、情報処理装置５００に送信する（Ｓ１４７）。提供済情報には、例えば、提供された特典の種類を示す情報や特典の識別情報、提供した割引の金額等が含まれる。一方、購入指示が入力されない場合、アプリ実行部１７０は、処理を終了する。
【００５０】
［情報処理装置フローチャート］
次に、図１３を参照して、情報処理装置５００において実行される処理について説明する。図１３は、端末装置１００において実行される処理の一例を示すフローチャートである。
【００５１】
決済処理部５７１は、コード決済情報を受信したか否かを判定する（Ｓ２０１）。受信したと判定した場合、決済処理部５７１は、決済が可能か否かを判定する（Ｓ２０３）。例えば、決済処理部５７１は、残高情報５５１を参照し、ユーザＩＤに対応する電子マネー残高を読み出し、商品等情報に含まれる商品等価格が電子マネー残高以下であるか否かを判定する。商品等価格が電子マネー残高以下でないと判定した場合、決済処理部５７１は、決済が可能でないと判定し、決済ができない旨を端末装置１００に通知する（Ｓ２０５）。
【００５２】
一方、商品等価格が電子マネー残高以下であると判定した場合、決済処理部５７１は、決済が可能であると判定し、決済処理を実行する（Ｓ２０７）。例えば、決済処理部５７１は、商品排出指示を自動販売機３００に送信し、残高情報５５１の電子マネー残高の欄を、商品等価格を減算した金額に書き換える。次いで、決済処理部５７１は、Ｓ２０７における決済処理が特典を利用した決済であったか否かを判定する（Ｓ２０９）。例えば、決済処理部５７１は、コード決済情報に提供済情報が含まれるか否かを判定する。コード決済情報に提供済情報が含まれる場合、決済処理部５７１は、購入履歴情報５５４を更新する（Ｓ２１１）。例えば、決済処理部５７１は、購入履歴情報５５４のユーザＩＤに、商品等ＩＤ、支払い金額、販売機ＩＤ等を対応付けて、記憶部５５０に記憶させる。
【００５３】
一方、Ｓ２０９の判定において特典を利用した決済でないと判定した場合（例えばコード決済情報に提供済情報が含まれないと判定した場合）、特典付与部５７２は、商品等情報５５２を参照して、Ｓ２０７において決済処理した商品等の商品等ＩＤに対応付けられた特典内容の欄に特典内容が記憶されているか否かを判定する（Ｓ２１３）。特典内容の欄に特典内容が記憶されていない場合、Ｓ２１１に移行する。特典内容の欄に特典内容が記憶されている場合、特典付与部５７２は、特典内容の欄に記憶されている特典内容を記憶部５５０から読み出し、通信部５１０を用いて端末装置１００に送信する（Ｓ２１５）。
【００５４】
次いで、特典付与部５７２は、端末装置１００に送信した特典内容が判定の必要なもの（例えば、抽選）であるか否かを判定する（Ｓ２１７）。特典内容が判定の必要なものである場合、特典付与部５７２は、端末装置１００から受信した情報に基づいて、特典を付与するか否かを判定し、判定結果を端末装置１００に送信する（Ｓ２１９）。次いで、特典付与部５７２は、ユーザが付与された特典を受け取るか否かを判定する（Ｓ２２１）。例えば、端末装置１００から特典を受け取ることを示す情報を受信した場合、特典付与部５７２は、ユーザに特典を付与する（Ｓ２２３）。例えば、特典付与部５７２は、ユーザに付与される特典に関する情報を、特典情報５５３のユーザＩＤに対応付けて、記憶部５５０に格納する。なお、特典付与部５７２は、特典に関する情報を商品等情報５５２から取得してもよく、商品等情報５５２から取得した情報に基づいて生成してもよい。
【００５５】
以上説明した第１実施形態によれば、コード決済に関する情報を受信する通信部５１０と、コード決済により商品等を購入したユーザに対して、所定条件を満たす場合に、コード決済において利用可能な特典を付与する特典付与部５７２と、特典に関する情報を、特典が付与されたユーザの端末装置１００に送信する通知部５７３とを備えることにより、コード決済を利用して商品等を購入したユーザに対して、コード決済において利用可能な特典を付与することができるため、販売促進の効果を向上させることができる。また、コード決済の利用に限定することにより、特定のユーザに限定して特典を付与することができるため、さらに効果的に販売促進を行うことができる。また、コード決済を実施する販売施設が広がることにより、ユーザの利用範囲も広がり、販売促進の効果を向上させることができる。
【００５６】
＜第２実施形態＞
次に、図１４を参照して、第２実施形態に係る情報処理装置を含む決済システム１Ａについて説明する。図１４は、第２実施形態に係る情報処理装置を含む決済システム１Ａの構成図である。なお、第１実施形態に係る決済システム１と同様の構成や機能については、詳細な説明を省略する。
【００５７】
決済システム１Ａは、例えば、一以上の端末装置１００と、一以上の情報処理装置５００と、一以上のＰＯＳ（Point Of Sales）端末（決済端末）７００とを備える。これらの構成は、ネットワークＮＷによって互いに接続されており、このネットワークＮＷを介して互いに通信する。
【００５８】
第２実施形態では、ＰＯＳ端末７００をコードの読取装置として用いる決済方法が採用されたものとして説明する。この決済方法を、以下、第２決済方法と記す。
【００５９】
決済の流れの一例について説明する。店員が、ＰＯＳ端末７００のリーダーを用いて商品等に表示されているバーコードを読み取って、ＰＯＳ端末７００によって計算された合計金額をユーザに提示する。ユーザは、端末装置１００を操作して、コード決済で利用可能なコードを端末装置１００に表示させ、店員に提示する。店員は、ＰＯＳ端末７００のリーダーを用いて端末装置１００に表示されたコードを読み取る。ＰＯＳ端末７００は、読み取った情報を情報処理装置５００に送信する。情報処理装置５００は、例えば、受信した情報に基づいて決済が可能か否かを判定し、決済が可能であると判定した場合、決済処理を実行するとともに、決済処理が実行されたことをＰＯＳ端末７００に通知する。これにより、ユーザは、現金やＩＣカードを取り出すことなく、端末装置１００にコードを表示させて店員に提示するだけで商品等を購入することができる。
【００６０】
［情報処理装置］
本実施形態において、情報処理装置５００の決済処理部５７１は、第２コード決済情報に基づいて決済処理を実行する。第２コード決済情報は、ＰＯＳ端末７００から送信され、ユーザＩＤと、ユーザが購入する商品等に関する商品等情報とを含む。第２コード決済情報に含まれるユーザＩＤは、端末装置１００により表示されたコードが販売施設に設置されたＰＯＳ端末７００によって読み取られることで取得される。商品等情報には、商品等ＩＤ群、支払い金額、ＰＯＳ端末ＩＤ等が含まれる。
【００６１】
［ＰＯＳ端末］
次に、図１５を参照して、ＰＯＳ端末７００について説明する。図１５は、ＰＯＳ端末７００の機能構成を示す図である。ＰＯＳ（Point Of Sale）端末７００は、例えばリーダーを備えるレジスターであり、例えば店舗の店員によって使用される。ＰＯＳ端末７００は、通信部７１０と、入力部７２０と、表示部７３０と、リーダー７４０と、記憶部７５０と、制御部７７０とを備える。通信部７１０は、例えば、ＮＩＣなどの通信インターフェースを含む。入力部７２０は、例えば、表示部７３０と一体として形成されるタッチパネルＴＰ、各種キー、ボタン、ダイヤルスイッチ、マウスなどのうち一部または全部を含む。表示部７３０は、例えば、ＬＣＤや有機ＥＬ表示装置などである。
【００６２】
リーダー７４０は、光学的にコードを読み取り、読み取った情報に基づいてコードを復元して、コードに埋め込まれている情報（以下、デコード情報と記す）を取得する。リーダー７４０は、取得したデコード情報を制御部７７０に出力する。
【００６３】
記憶部７５０は、例えば、ＲＡＭやＲＯＭ、ＳＳＤなどのフラッシュメモリ、ＨＤＤなどである。記憶部７５０には、商品等価格情報７５１が記憶されている。商品等価格情報７５１は、商品等ＩＤに、商品等の価格、商品等名などを対応付けた情報である。
【００６４】
制御部７７０は、商品等価格情報７５１を参照し、リーダー７４０により取得されたデコード情報に基づいて会計処理を実行する。会計処理には、ユーザが購入する商品等とその価格の入力、支払い金額の計算、ユーザから支払われた金銭に基づく精算等が含まれる。なお、制御部７７０による会計処理は、現金を用いた精算であってもよく、電子マネーを用いた精算であってもよい。
【００６５】
次に、図１６〜１８を用いて、第２決済方法を利用した処理について説明する。図１６は、第２決済方法を利用して商品等を購入するときの処理を示すシーケンス図である。図１７は、第２決済方法を利用して特典の提供を受けるときの処理を示すシーケンス図である。図１８は、図１６〜１７に示す処理における端末装置１００の画面遷移の一例を示す図である。
【００６６】
まず、店員はＰＯＳ端末７００のリーダー７４０を操作して、商品等に表示されている商品等コードを読み取る。ＰＯＳ端末７００は、リーダー７４０によりデコードされた商品等ＩＤに基づいて記憶部７５０を参照し、デコードされた商品等ＩＤに対応付けられている価格を会計結果に追加する（Ｓ１１）。全ての購入商品等についてリーダー７４０による商品等コードの読み取りが終了した場合、入力部７２０を用いて支払い指示を受け付ける操作ボタンが店員により操作される。ＰＯＳ端末７００は、支払い金額を表示部７３０に表示させる（Ｓ１２）。
【００６７】
一方、ユーザは、端末装置１００を操作して決済アプリを起動し、端末装置１００の表示部１３０にコードを表示させるための操作を、端末装置１００に入力する。端末装置１００は、ユーザの操作に基づいて、コード画面２１１を表示部１３０に表示させる（Ｓ１３）。コード画面２１１には、ユーザＩＤが埋め込まれているコード２１１ａ、２１１ｂが表示されている。コード２１１ａが一次元コードであり、コード２１１ｂが二次元コードである。ユーザは、端末装置１００の表示画面を店員に提示する。店員は、リーダー７４０を、画面２１１に表示されているコード２１１ａ（あるいは、２１１ｂ）にかざす。これにより、ＰＯＳ端末７００は、コード２１１ａ（あるいは、２１１ｂ）を読み取る（Ｓ１４）。ＰＯＳ端末７００は、読み取ったコードをデコードしてデコード情報を取得し（Ｓ１５）、デコード情報（ユーザＩＤ）とともに、購入する全ての商品等の商品等ＩＤと、支払い金額を示す情報を、情報処理装置５００に送信する（Ｓ１６）。
【００６８】
情報処理装置５００は、残高情報５５１を参照して、受信した情報に基づいて決済が可能か否かを判定する。決済が可能である場合（例えば、残高が支払い金額以上である場合）、情報処理装置５００は、決済処理を実行し（Ｓ１７）、通信部５１０を用いて決済が可能であることを示す情報をＰＯＳ端末７００に送信する（Ｓ１８）。ＰＯＳ端末７００は、情報処理装置５００から受信した情報に基づいて、支払い処理を実行する（Ｓ１９）。
【００６９】
次いで、情報処理装置５００は、商品等情報５５２を参照し、Ｓ１７において決済処理した商品等の商品等ＩＤに対応する特典内容の欄に含まれる情報を確認する（Ｓ４１）。例えば、商品等情報５５２において、決済処理した商品等Ｃの商品等ＩＤに対応する特典内容の欄には「まとめ買い特典、対象商品を３本買ったら１００円割引券をプレゼントする」ことが定義されている場合について説明する。決済処理した商品等の中に、商品等情報５５２の特典内容の欄に情報が含まれる対象商品がある場合、情報処理装置５００は、購入履歴情報５５４を参照し、対象期間内に対象商品を２本以上購入しているか否かを判定する。対象期間内に対象商品を２本以上購入している場合、今回の購入で合計３本になるので、情報処理装置５００は、付与条件を満たすと判定し、特典に応じたコンテンツの再生を端末装置１００に指示する（Ｓ４２）。端末装置１００は、情報処理装置５００の指示に従って、例えば抽選機を回転させる動画を表示する画面２１２を表示部１３０に表示させる（Ｓ４３）。画面２１２は、くじを引くボタン２１２ａも含む。
【００７０】
ユーザによりくじを引くボタン２１２ａが操作された場合（Ｓ４４）、端末装置１００は、くじが引かれたことを示す情報を情報処理装置５００に送信する（Ｓ４５）。情報処理装置５００は、くじが引かれたことを示す情報を受信したタイミングに基づいて抽選結果を決定し（Ｓ４６）、決定した抽選結果を端末装置１００に送信する（Ｓ４７）。端末装置１００は、受信した抽選結果を表示部１３０に表示させる（Ｓ４８）。例えば、抽選結果が当選である場合、端末装置１００は、特典内容を示す情報（１００円の割引券が当たったこと）と、利用ボタン２１３ａとを表示する表示画面２１３を表示部１３０に表示させる。利用ボタン２１３ａには、例えば、割引券を使うと表示されている。
【００７１】
続いて、図１７の処理について説明する。なお、以下に説明する処理は、ユーザが端末装置１００を操作することにより、ユーザが利用可能な特典のうちの一つが選択されて、選択された特典の利用が指示された場合に実行されてもよい。
【００７２】
ユーザにより利用ボタン２１３ａが操作された場合、端末装置１００は、特典の利用指示を受け付け（Ｓ５１）、コード画面２１４を表示部１３０に表示させる（Ｓ５２）。コード画面２１４には、ユーザＩＤと、特典利用内容（例えば、利用する特典が１００円割引券であること）とが埋め込まれているコード２１４ａ、２１４ｂが表示されている。コード２１４ａが一次元コードであり、コード２１４ｂが二次元コードである。
【００７３】
一方、店員はＰＯＳ端末７００のリーダー７４０を操作して、商品等に表示されている商品等コードを読み取る。ＰＯＳ端末７００は、リーダー７４０によりデコードされた商品等ＩＤに基づいて記憶部７５０を参照し、デコードされた商品等ＩＤに対応付けられている価格を会計結果に追加する（Ｓ５３）。全ての購入商品等についてリーダー７４０による商品等コードの読み取りが終了した場合、入力部７２０を用いて支払い指示を受け付ける操作ボタンが店員により操作される。ＰＯＳ端末７００は、支払い金額を表示部７３０に表示させる（Ｓ５４）。
【００７４】
次いで、店員はユーザに対してコードの提示を求める。ユーザは、端末装置１００のコード画面２１４を店員に提示する。店員は、リーダー７４０を、コード画面２１４に表示されているコード２１４ａ（あるいは、２１４ｂ）にかざす。これにより、ＰＯＳ端末７００は、コード２１４ａ（あるいは、２１４ｂ）を読み取る（Ｓ５５）。ＰＯＳ端末７００は、読み取ったコードをデコードしてデコード情報を取得し（Ｓ５６）、取得したデコード情報（ユーザＩＤを含む。）とともに、購入する全ての商品等の商品等ＩＤと、支払い金額を示す情報を、情報処理装置５００に送信する（Ｓ５７）。
【００７５】
情報処理装置５００は、特典適用価格が０円であるか否かを判定し（Ｓ５８）、０円である場合、通信部５１０を用いて決済が可能であることを示す情報をＰＯＳ端末７００に送信する（Ｓ５９）。ＰＯＳ端末７００は、情報処理装置５００から受信した情報に基づいて、支払い処理を実行する（Ｓ６０）。なお、特典適用価格が０円でない場合、情報処理装置５００は、残高情報５５１を参照して、受信した情報に基づいて決済が可能か否かを判定し、決済が可能である場合（残高が商品等価格以上である場合）、決済処理を実行してもよい。情報処理装置５００は、特典が利用されたことを示す情報を端末装置１００に送信する（Ｓ６１）。端末装置１００は、情報処理装置５００から受信した情報に基づいて、特典が利用されたことを示す画面２１５を表示部１３０に表示させる（Ｓ６２）。画面２１５は、ホーム画面に戻る操作を受け付けるホームキー２１５ａを表示してもよい。
【００７６】
［端末装置フローチャート］
次に、図１９を参照して、端末装置１００において実行される処理（商品等を購入するときの処理）について説明する。図１９は、端末装置１００において実行される処理の一例を示すフローチャートである。なお、第１実施形態に説明の処理と同じ処理については、同一の符号を付して説明を省略する。
【００７７】
Ｓ１０９の処理において、情報処理装置５００によりログインが認証された場合、アプリ実行部１７０は、ユーザＩＤを埋め込んだコードを生成し、表示部１３０に表示させる（Ｓ１２１）。
【００７８】
次に、図２０を参照して、端末装置１００において実行される処理（特典の提供を受けるときの処理）について説明する。図２０は、端末装置１００において実行される処理（特典の提供を受けるときの処理）の一例を示すフローチャートである。なお、第１実施形態に説明の処理と同じ処理については、同一の符号を付して説明を省略する。
【００７９】
Ｓ１３７の処理において、特典の利用指示があると判定された場合、アプリ実行部１７０は、ユーザＩＤと、特典利用内容（例えば、利用する特典が１００円割引券であること）とを埋め込んだコードを生成し、コード読み取り画面（例えば、画面２１４）を表示部１３０に表示させる（Ｓ１４９）。特典利用内容は、特典を利用してコード決済をするための情報の一例である。
【００８０】
以上説明した第２実施形態によれば、第１実施形態と同様の効果を奏することができる。
【００８１】
以上、本発明を実施するための形態について実施形態を用いて説明したが、本発明はこうした実施形態に何等限定されるものではなく、本発明の要旨を逸脱しない範囲内において種々の変形及び置換を加えることができる。
【００８２】
例えば、第１実施形態と第２実施形態とを組み合わせた決済方法であってもよい。例えば、特典を利用せずに商品等を購入するときには、第１決済方法を利用し、特典を利用して商品等を購入するときには、第２決済方法を利用してもよく、その逆であってもよい。
【００８３】
特典適用価格は、情報処理装置５００により生成されてもよい。例えば、情報処理装置５００は、端末装置１００から特典と特典の利用内容（割引券を利用してどの商品等を購入するか等）が指定され、指定された特典の利用が指示された場合、記憶部５５０を参照し、購入商品等から割引券の金額を減算した金額を特典適用価格として生成し、端末装置１００に送信する。
【００８４】
また、決済処理部５７１は、商品等価格の方が電子マネー残高よりも高い場合、口座残高から一定金額を電子マネーに変換してから、決済処理を実行してもよい。
【００８５】
なお、上述において、第１コード決済情報に含まれる商品等情報には、商品等ＩＤと、商品等価格と、販売機ＩＤとが含まれる例について説明したが、商品等ＩＤが含まれていなくてもよい。例えば、特典の付与条件が、対象となる自動販売機において販売されている全ての商品等の購入である場合、少なくとも商品等価格と販売機ＩＤとが第１コード決済情報に含まれていればよい。
【符号の説明】
【００８６】
１…決済システム、１００…端末装置、１１０…通信部、１２０…入力部、１３０…表示部、１４０…撮像部、１５０…記憶部、１７０…アプリ実行部、３００…自動販売機、５００…情報処理装置、５１０…通信部、５５０…記憶部、５５１…残高情報、５５２…商品等情報、５５３…特典情報、５５４…購入履歴情報、５７０…制御部、５７１…決済処理部、５７２…特典付与部、５７３…通知部、５７４…提供部
【図１】
2019113924.tif 000003
【図２】
2019113924.tif 000004
【図３】
2019113924.tif 000005
【図４】
2019113924.tif 000006
【図５】
2019113924.tif 000007
【図６】
2019113924.tif 000008
【図７】
2019113924.tif 000009
【図８】
2019113924.tif 000010
【図９】
2019113924.tif 000011
【図１０】
2019113924.tif 000012
【図１１】
2019113924.tif 000013
【図１２】
2019113924.tif 000014
【図１３】
2019113924.tif 000015
【図１４】
2019113924.tif 000016
【図１５】
2019113924.tif 000017
【図１６】
2019113924.tif 000018
【図１７】
2019113924.tif 000019
【図１８】
2019113924.tif 000020
【図１９】
2019113924.tif 000021
【図２０】
2019113924.tif 000022
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
コードに埋め込まれた情報が読取装置によって読み取られることで行われるコード決済に関する情報を受信する通信部と、
前記通信部により受信された前記コード決済に関する情報に基づいて、決済処理を実行する決済処理部と、
前記コード決済を利用したユーザに対して、前記コード決済において利用可能な特典を付与する特典付与部と、
前記特典に関する情報を、前記特典が付与されたユーザの端末装置に送信する通知部と、を備え、
前記決済処理部は、前記ユーザの端末装置を用いて前記ユーザにより前記特典の行使が指示された場合、前記特典を適用した決済処理を実行する、
を備える情報処理装置。
【請求項２】
前記コード決済に関する情報は、商品またはサービスの販売施設において提示される前記コードが前記読取装置である前記ユーザの端末装置によって読み取られることで取得される前記商品またはサービスの情報と、前記端末装置のユーザの識別情報とを含む情報である、
請求項１に記載の情報処理装置。
【請求項３】
前記コード決済に関する情報は、前記ユーザの端末装置により表示された前記コードが販売施設に設置された前記読取装置である決済端末によって読み取られることで取得される前記端末装置のユーザの識別情報と、前記ユーザが購入する商品またはサービスの情報とを含む情報である、
請求項１または２に記載の情報処理装置。
【請求項４】
前記特典付与部は、抽選を行い、当選した場合に前記特典を付与する、
請求項１から３のうちいずれか一項に記載の情報処理装置。
【請求項５】
前記特典付与部は、
前記コード決済により累積で所定数以上の商品またはサービスを購入したユーザに対して前記特典を付与する、
請求項１から４のうちいずれか一項に記載の情報処理装置。
【請求項６】
前記特典付与部は、
前記コード決済により商品またはサービスを購入したユーザに対して、所定金額の電子的な割引券を特典として付与する、
請求項１から５のうちいずれか一項に記載の情報処理装置。
【請求項７】
前記特典付与部は、
前記コード決済により商品またはサービスを購入したユーザに対して、決済金額に応じた特典を付与する、
請求項１から６のうちいずれか一項に記載の情報処理装置。
【請求項８】
前記特典が付与されたユーザの端末装置に対して、前記特典を利用可能な販売施設に関する情報を提供する提供部をさらに備える、
請求項１から７のうちいずれか一項に記載の情報処理装置。
【請求項９】
コンピュータが、
コードに埋め込まれた情報が読取装置によって読み取られることで行われるコード決済に関する情報を受信し、
受信された前記コード決済に関する情報に基づいて、決済処理を実行し、
前記コード決済を利用したユーザに対して、前記コード決済において利用可能な特典を付与し、
前記特典に関する情報を、前記特典が付与されたユーザの端末装置に送信し、
前記ユーザの端末装置を用いて前記ユーザにより前記特典の行使が指示された場合、前記特典を適用した決済処理を実行する、
情報処理方法。
【請求項１０】
コンピュータに、
コードに埋め込まれた情報が読取装置によって読み取られることで行われるコード決済に関する情報を受信させ、
受信された前記コード決済に関する情報に基づいて、決済処理を実行させ、
前記コード決済を利用したユーザに対して、前記コード決済において利用可能な特典を付与させ、
前記特典に関する情報を、前記特典が付与されたユーザの端末装置に送信させ、
前記ユーザの端末装置を用いて前記ユーザにより前記特典の行使が指示された場合、前記特典を適用した決済処理を実行させる、
プログラム。
【請求項１１】
撮像部と入力部と通信部と表示部とを備える端末装置に、
コードに埋め込まれた情報が読取装置によって読み取られることで行われるコード決済を行う場合、前記撮像部を用いて前記コードに埋め込まれた情報を読み取らせ、
前記コードに埋め込まれた情報を、前記通信部を用いて情報処理装置に送信させ、
前記コード決済を利用したことにより付与された特典に関する情報を、前記通信部を用いて前記情報処理装置から受信させ、
前記特典が付与された場合、前記特典の行使を指示する操作を受け付ける旨の情報を前記表示部に表示させると共に、前記入力部を用いて前記特典の行使を指示する操作を受け付けさせ、
前記特典の行使を指示する操作を受け付けた場合、前記特典を反映した金額で前記コード決済するための情報を、前記通信部を用いて前記情報処理装置に送信させる、
プログラム。
【請求項１２】
前記特典の行使を指示する操作を受け付けた場合、前記特典を反映した金額で前記コード決済するための情報を埋め込んだコードを前記表示部に表示させる、
請求項１１に記載のプログラム。
【請求項１３】
表示部と入力部と通信部とを備える端末装置に、
コードに埋め込まれた情報が読取装置によって読み取られることで行われるコード決済を行う場合、前記コードを前記表示部に表示させ、
前記コード決済を利用したことにより付与された特典に関する情報を、前記通信部を用いて情報処理装置から受信させ、
前記特典が付与された場合、前記特典の行使を指示する操作を受け付ける旨の情報を前記表示部に表示させると共に、前記入力部を用いて前記特典の行使を指示する操作を受け付けさせ、
前記特典の行使を指示する操作を受け付けた場合、前記特典を反映した金額で前記コード決済するための情報を埋め込んだコードを前記表示部に表示させる、
プログラム。
【請求項１４】
前記特典の行使を指示する操作を受け付けた場合、前記特典を反映した金額で前記コード決済するための情報を、前記通信部を用いて前記情報処理装置に送信させる、
請求項１３に記載のプログラム。
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
コードに埋め込まれた情報が読取装置によって読み取られることで行われるコード決済に関する情報を受信する通信部と、
前記通信部により受信された前記コード決済に関する情報に基づいて、決済処理を実行する決済処理部と、
前記コード決済を利用したユーザの購入履歴情報に基づいて、前記ユーザに対して、前記コード決済において利用可能な特典を付与する特典付与部と、
前記特典に関する情報を、前記特典が付与されたユーザの端末装置に送信する通知部と、を備え、
前記決済処理部は、前記ユーザの端末装置を用いて前記ユーザにより前記特典の行使が指示された場合、前記特典を適用した決済処理を実行するとともに、前記特典を利用して決済した金額を商品等の識別情報に対応付けて前記購入履歴情報に追加する、
を備える情報処理装置。
【請求項２】
前記コード決済に関する情報は、商品またはサービスの販売施設において提示される前記コードが前記読取装置である前記ユーザの端末装置によって読み取られることで取得される前記商品またはサービスの情報と、前記端末装置のユーザの識別情報とを含む情報である、
請求項１に記載の情報処理装置。
【請求項３】
前記コード決済に関する情報は、前記ユーザの端末装置により表示された前記コードが販売施設に設置された前記読取装置である決済端末によって読み取られることで取得される前記端末装置のユーザの識別情報と、前記ユーザが購入する商品またはサービスの情報とを含む情報である、
請求項１または２に記載の情報処理装置。
【請求項４】
前記特典付与部は、抽選を行い、当選した場合に前記特典を付与する、
請求項１から３のうちいずれか一項に記載の情報処理装置。
【請求項５】
前記特典付与部は、
前記コード決済により累積で所定数以上の商品またはサービスを購入したユーザに対して前記特典を付与する、
請求項１から４のうちいずれか一項に記載の情報処理装置。
【請求項６】
前記特典付与部は、
前記コード決済により商品またはサービスを購入したユーザに対して、所定金額の電子的な割引券を特典として付与する、
請求項１から５のうちいずれか一項に記載の情報処理装置。
【請求項７】
前記特典付与部は、
前記コード決済により商品またはサービスを購入したユーザに対して、決済金額に応じた特典を付与する、
請求項１から６のうちいずれか一項に記載の情報処理装置。
【請求項８】
前記特典が付与されたユーザの端末装置に対して、前記特典を利用可能な販売施設に関する情報を提供する提供部をさらに備える、
請求項１から７のうちいずれか一項に記載の情報処理装置。
【請求項９】
コンピュータが、
コードに埋め込まれた情報が読取装置によって読み取られることで行われるコード決済に関する情報を受信し、
受信された前記コード決済に関する情報に基づいて、決済処理を実行し、
前記コード決済を利用したユーザの購入履歴情報に基づいて、前記ユーザに対して、前記コード決済において利用可能な特典を付与し、
前記特典に関する情報を、前記特典が付与されたユーザの端末装置に送信し、
前記ユーザの端末装置を用いて前記ユーザにより前記特典の行使が指示された場合、前記特典を適用した決済処理を実行するとともに、前記特典を利用して決済した金額を商品等の識別情報に対応付けて前記購入履歴情報に追加する、
情報処理方法。
【請求項１０】
コンピュータに、
コードに埋め込まれた情報が読取装置によって読み取られることで行われるコード決済に関する情報を受信させ、
受信された前記コード決済に関する情報に基づいて、決済処理を実行させ、
前記コード決済を利用したユーザの購入履歴情報に基づいて、前記ユーザに対して、前記コード決済において利用可能な特典を付与させ、
前記特典に関する情報を、前記特典が付与されたユーザの端末装置に送信させ、
前記ユーザの端末装置を用いて前記ユーザにより前記特典の行使が指示された場合、前記特典を適用した決済処理を実行させるとともに、前記特典を利用して決済した金額を商品等の識別情報に対応付けて前記購入履歴情報に追加させる、
プログラム。